(57)【要約】  本発明のウェッジバルブ用ソケットは、使用中の振動下であっても優れた固定機能を維持できる。ウェッジバルブは、発光素子と、前面および後面の各々に備えられ、かつ、互いに平行に配置された電気端子対を備え、前記発光素子の下端から突出するコネクタと、を含む。前記ソケットは、前記ソケット内に規定された連結凹部における内壁面に備えられ、電気端子との電気的接続を得つつ、前記連結凹部内へ挿入された前記コネクタを弾性的に支持できるようにする弾性支持端子ユニットを含む。前記電気端子対のうちの１つは、前記コネクタと同じ面に備えられた隣り合う電気端子とは異なる高さにおいて前記弾性支持端子ユニットによって押圧して支持され、他の電気端子が前記コネクタの反対側に備えられる。【選択図】図１
2013504158.tif 000002
【特許請求の範囲】
【請求項１】
発光素子と、
前面および後面の各々に備えられ、かつ、互いに平行に配置された電気端子対を備え、前記発光素子の下端から突出するコネクタと、を含むウェッジバルブのウェッジバルブ用ソケットであって、
前記ソケットは、
前記ソケット内に規定された連結凹部における内壁面に備えられ、電気端子との電気的接続を得つつ、前記連結凹部内へ挿入された前記コネクタを弾性的に支持できるようにする弾性支持端子ユニットを含み、
前記電気端子対のうちの１つは、前記コネクタと同じ面に備えられた隣り合う電気端子とは異なる高さにおいて前記弾性支持端子ユニットによって押圧して支持され、かつ、他の電気端子が前記コネクタの反対側に備えられることを特徴とするウェッジバルブ用ソケット。
【請求項２】
前記弾性支持端子ユニットの第一弾性支持端子は、
前記コネクタの前記前面に備えられた前記電気端子と接触するようにされ、
前記ウェッジバルブへ電力を供給する電気ワイヤと導電的に連結された連結具を備え、前記第一弾性支持端子の下端に備えられたベース板と、
弾性的に可動なように前記ベース板から離れるように隔てられ、記ベース板の上端の横位置の反対から下方向に垂直に延伸する１対の弾性橋部と、
前記電気端子と接触可能なように、前記ベース板から離れるように延伸する前記弾性橋部の下端に形成された屈曲した複数の弾性支持部とを含み、
前記弾性支持部は、前記コネクタの挿入方向たる垂直方向に高さの違いを有することを特徴とする請求項１記載のウェッジバルブ用ソケット。
【請求項３】
前記連結凹部における前記内壁面は、エンボス突条を備え、
前記コネクタの対向する側面を押圧することを特徴とする請求項１記載のウェッジバルブ用ソケット。
【請求項４】
前記連結凹部は、前記コネクタの前記前面と前記後面に備えられた前記突起と表面接触するように段状支持部を前記連結凹部の下端に備え、
前記段状支持部は、前記連結凹部の中央へ向かって傾斜することを特徴とする請求項１記載のウェッジバルブ用ソケット。
【発明の詳細な説明】
【技術分野】
【０００１】
本発明は、ウェッジバルブを保持するソケットに関し、特には、使用中の振動下であっても優れた固定機能を維持できるウェッジバルブ用ソケットに関する。
【背景技術】
【０００２】
ウェッジバルブは、乗り物を含む電気デバイスおよび機械デバイスに広く用いられる照光デバイスである。図６を参照すると、従来のウェッジバルブ４は、電力を受けて発光する発光素子４１および発光素子４１の下端に一体化して備えられたコネクタ４２を含み、独立したソケット２００内に挿入され、固定されるように構成される。
【０００３】
コネクタ４２は、ブロック形態をとり、前面および後面に楔形状突起４２１が備えられる。楔形状突起４２１は、コネクタ４２がソケット２００の下側の領域に捕捉されることを可能にする。これにより、ソケット２００内に所定の深さを超えてウェッジバルブ４が過剰挿入されることを防止する。また、電気端子４３の対がコネクタ４２の前面および後面に備えられ、電力を発光素子４１へ供給する。
【０００４】
コネクタ４２が受容されるソケット２００は、内面に２つの弾性端子２１０が備えられる。弾性端子２１０は、対応する電気端子４３と通電するように接続可能であり、弾性的にコネクタ４２を押圧するよう作用する。
【０００５】
より具体的には、各弾性端子２１０は、ソケット２００に固定される端子ボディ２１１、および端子ボディ２１１から突出する弾性固定部２１２を含む。
【０００６】
この場合、弾性固定部２１２の対がウェッジバルブ４のコネクタ４２の下端を前側面および後側面から押圧するように配置される。さらに、付加的な押圧片２２０がコネクタ４２の上端を前側面および後側面から弾性的に押圧するために用いられる。弾性固定部２１２と押圧片２２０との協働によって、電気端子４３と弾性端子２１０との間の電気接続を達成しつつ、分離のおそれなしに、ウェッジバルブ４をソケット内に固定可能となる。
【発明の概要】
【発明が解決しようとする課題】
【０００７】
しかしながら、上述の従来のウェッジバルブ用ソケット２００は、ウェッジバルブ４のコネクタ４２の下端を弾性的に押圧することでウェッジバルブ４を保持するので、例えば、機械デバイスの振動などでも電気接続の状態が不安定となってしまう場合がある。
【０００８】
特に、ウェッジバルブ４は、従来から重いガラスから形成され、ソケット２００から外側へ突出する発光素子４１が大きな体積を有し、コネクタ４２が発光素子４１から突出している。それゆえに、ウェッジバルブ４の重心が発光素子４１にあり、例えば、乗り物など機械デバイスが振動する際に、ウェッジバルブ４にソケット２００に対しての振動が容易に起こってしまう。
【０００９】
さらに、弾性端子２１０は、コネクタ４２の下端を弾性的に押圧しており、ウェッジバルブ４の重心から離れたコネクタ４２の位置を押圧するように配置される。このような配置では、ウェッジバルブ４が振動する際において、ウェッジバルブ４とソケット２００との間の十分な連結状態を維持することが不利となる。
【００１０】
上述の従来のウェッジバルブ用ソケットは、ウェッジバルブの振動下において、ウェッジバルブの電気端子と弾性固定部との間の接続状態を不安定としてしまう場合がある。この電気的な接続状態の不備によって、アークが生じ、アークによって生じた熱によって電気端子や弾性固定部が燃えてしまう問題が生じる場合がある。
【００１１】
それゆえに、本発明の目的は、上述の問題を解決したウェッジバルブ用ソケット、すなわち、ソケットが実装される機械デバイスが振動下にあっても、ウェッジバルブの十分な固定能を十分維持することが可能なウェッジバルブ用ソケットを提供することが目的の１つである。
【００１２】
本発明の別の目的は、ウェッジバルブが押圧固定される所定位置での支持領域を増大させることで、よりしっかりとウェッジバルブを保持するようにして、ウェッジバルブの振動を低減させるウェッジバルブ用ソケットを提供することである。
【００１３】
本発明の別の目的は、弾性的に押圧固定する方向における振動および弾性的に押圧固定する方向とは垂直な方向における振動を低減可能とするウェッジバルブ用ソケットを提供することである。
【００１４】
本発明の別の目的は、ウェッジバルブとの間隙を小さくするウェッジバルブ用ソケットを提供することである。
【課題を解決するための手段】
【００１５】
本発明によれば、上述の目的は、発光素子と、前面および後面の各々に備えられ、かつ、互いに平行に配置された電気端子対を備え、前記発光素子の下端から突出するコネクタと、を含むウェッジバルブのウェッジバルブ用ソケットであって、前記ソケットは、前記ソケット内に規定された連結凹部における内壁面に備えられ、電気端子との電気的接続を得つつ、前記連結凹部内へ挿入された前記コネクタを弾性的に支持できるようにする弾性支持端子ユニットを含み、前記電気端子対のうちの１つは、前記コネクタと同じ面に備えられた隣り合う電気端子とは異なる高さにおいて前記弾性支持端子ユニットによって押圧して支持され、他の電気端子が前記コネクタの反対側に備えられることを特徴とするウェッジバルブ用ソケットによって達成される。
【００１６】
前記弾性支持端子ユニットの第一弾性支持端子は、前記コネクタの前記前面に備えられた前記電気端子と接触するようにされ、前記ウェッジバルブへ電力を供給する電気ワイヤと導電的に連結された連結具を備え、前記第一弾性支持端子の下端に備えられたベース板と、弾性的に可動なように前記ベース板から離れるように隔てられ、記ベース板の上端の横位置の反対から下方向に垂直に延伸する一対の弾性橋部と、前記電気端子と接触可能なように、前記ベース板から離れるように延伸する前記弾性橋部の下端に屈曲して形成された複数の弾性支持部とを含み、前記弾性支持部は、前記コネクタの挿入方向たる垂直方向に高さの違いを有してもよい。
【００１７】
前記連結凹部における前記内壁面は、エンボス突条を備え、前記コネクタの対向する側面を押圧してもよい。
【００１８】
前記連結凹部は、前記コネクタの前記前面と前記後面に備えられた前記突起と表面接触するように前記連結凹部の下端に段状支持部を備え、前記段状支持部は、前記連結凹部の中央へ向かって傾斜してもよい。
【００１９】
上述からも明らかなように、本発明におけるウェッジバルブ用ソケットは、ウェッジバルブを支持する領域の増大を実現するために、複数の弾性支持端子がシス位に配置され、対応するウェッジバルブの電気端子を支持可能とする。これにより、たとえ振動が外部デバイスから伝わった場合であっても、ソケットに対するウェッジバルブの振動を低減する効果があるので、ウェッジバルブの優れた固定性能を維持できる。
【００２０】
さらに本発明によれば、連結凹部が、ウェッジバルブの連結用ソケットのソケットハウジング内に規定され、左側面および右側面にエンボス突条を備えている。これによって、ウェッジバルブの左右方向の振動を低減する効果があるので、ソケットがよりしっかりとソケットバルブを保持することが可能になる。
【００２１】
さらにソケットの連結凹部は、さらに内周面において傾斜した段状支持部を備えるので、ウェッジバルブの傾斜したコネクタ突起と連結凹部との間の間隙を低減できる。これによって、ウェッジバルブの振動の影響を低減する効果がある。
【図面の簡単な説明】
【００２２】
【図１】図１は、本発明の実施形態におけるウェッジバルブおよびウェッジバルブ用ソケットを概略的に図示した分解斜視図である。
【図２】図２は、図１に示されたウェッジバルブ用ソケット内に含まれた弾性支持端子ユニットが示される斜視図である。図２（ａ）は、第一弾性支持端子の斜視図であり、図２（ｂ）は、第二弾性支持端子の斜視図である。
【図３】図３は、図１に示されたウェッジバルブ用ソケット内に実装された弾性支持端子ユニットを概略的に示す斜視図である。
【図４】図４は、ウェッジバルブと図１に示されたウェッジバルブ用ソケットとの間の連結態様を概略的に示す側面図である。
【図５】図５は、図１に示されたウェッジバルブ用ソケットにおける連結凹部内に形成されたエンボス突条を概略的に示す斜視図である。
【図６】図６は、従来のウェッジバルブ用ソケットを示す図である。
【発明を実施するための形態】
【００２３】
本発明の上述の目的、特徴および効果は、添付の図面を用いて以下詳述されることでより明確に理解される。
【００２４】
本発明の例示的な実施形態におけるウェッジバルブ用ソケットの機能、構成、作用が添付の図面を参照して詳述される。以下の記載において、図６と同様または類似の要素は同じ符号にて示される。
【００２５】
図１は、本発明の実施形態におけるウェッジバルブおよびウェッジバルブ用ソケットを概略的に図示した分解斜視図である。
【００２６】
ウェッジバルブ４は、電力を受けて発光する発光素子４１、および発光素子４１の下端に一体化して備えられたコネクタ４２を含み、ソケット１００内に挿入されるように構成される。この場合、コネクタ４２は、互いに平行な前面４２ａおよび後面４２ｂを有するブロック形態をとる。前面４２ａと後面４２ｂの各々は、発光素子４１へ電力供給する電気端子４３の対を備える。電気端子４３は、互いに平行に垂直方向へ延伸する。さらに垂直方向に傾斜した楔形状突起４２がコネクタ４２の前面４２ａおよび後面４２ｂの各々の反対側の縁の領域に形成される。
【００２７】
ソケット１００は、絶縁体から形成されたソケットハウジング１を含む。弾性支持端子ユニット２は、ソケットハウジング１内に挿入され固定され、コネクタ４２の電気端子４３と電気接続される。
【００２８】
ソケットハウジング１は、機械デバイスに嵌合するのに適切な外形を有するように成型され、上面に開けられた連結凹部１１を有し、ウェッジバルブ４のコネクタ４２が連結凹部１１内に挿入される。
【００２９】
ソケット１００内に挿入される弾性支持端子ユニット２は、コネクタ４２の前面４２ａにおける電気端子４３に電気接続される第一弾性支持端子２ａと、コネクタ４２の後面４２ｂにおける電気端子４３に電気接続される第二弾性支持端子２ｂの対とを含む。
【００３０】
図２（ａ）に示されるように、第一弾性支持端子２ａは、単一ボディを有し、単一の電気ワイヤＣが第一弾性支持端子２ａを通じてコネクタ４２の前面４２ａにおける電気端子４３の対に通電するように配置される。
【００３１】
より具体的には、第一弾性支持端子２ａは、コネクタ４２の前面における電気端子４３と接触するように、ベース板２２、複数の弾性橋部２３および複数の弾性支持部２１を含む。
【００３２】
ベース板２２は、ほぼ長方形であり、連結凹部１１内へ挿入され、連結凹部１１における内壁面に固定できる。ベース板２２は、下端に連結具２２１を備え、連結具２２１を通じて電気ワイヤＣと電気接続され、電力をウェッジバルブ４へ供給する。
【００３３】
図示しないが、連結具２２１は、電気ワイヤＣと電気接続する際に各々が弾性変形可能な複数の連結部、または他の電気ワイヤと連結可能な複数の連結部を含んでもよい。
【００３４】
複数の弾性橋部２３は、ベース板２２の上端においてそれぞれ反対側の側面から垂直に下方向に延伸し、連結凹部１１の中央へ向かって弾性的に可動となるように、ベース板２２から間隙を隔てて設けられる。
【００３５】
弾性支持部２１は、連結凹部１１の中央へ向かってベース板２２から延伸する各弾性橋部２３の下端が曲げられて形成されるので、各電気端子４３と接触する。この場合、弾性橋部２３と接続している弾性支持部２１は、コネクタ４２が連結凹部１１内に挿入される垂直方向において、高さの違いを有するので、異なる高さにおいてコネクタ４２の各電気端子と接触することになる。
【００３６】
第二弾性支持端子２ｂの対における各端子は、コネクタ４２の後面４２ｂにおいて、２つの電気端子４３が互いに独立して電気ワイヤＣと電気接続することを可能にする。
【００３７】
図１を再度参照すると、弾性支持端子ユニット２は、コネクタ４２の前面４２ａおよび後面４２ｂを弾性的に押圧しつつ、下端において機械デバイスの電源と通電する電気ワイヤＣに接続される。弾性支持端子ユニット２は、上端において連結凹部１１内へ突出する弾性支持部２１を備えるのでコネクタ４２の電気端子４３と電気接続される。
【００３８】
連結凹部１１は、上端において複数の押圧片３が備えられる。複数の押圧片３は、連結凹部１１の内側へ突出し、コネクタ４２の上端を弾性的に押圧する。
【００３９】
複数の押圧片３には、２つの弾性支持端子の間の中央において、第一弾性支持端子２ａと一体化して形成されたＵ字状の弾性押圧片３と、ソケット１００の上端と第二弾性支持端子２ｂによって支持されたコネクタ４２の後面４２ｂとの間に独立して挿入される弾性押圧片３とが含まれる。複数の押圧片３は、コネクタ４２の前面４２ａおよび後面４２ｂの上端を弾性的に押圧可能である。
【００４０】
ウェッジバルブ用ソケット１００内に挿入されて固定されたウェッジバルブ４における機械デバイスから伝搬した振動など外力による振動を低減するために、すなわち、ウェッジバルブ４の電気端子４３と弾性支持部２１との間の優れた固定状態を維持するために、ウェッジバルブ４のコネクタ４２を支持するために必要となる弾性支持端子ユニット２における支持領域を増加させることが必要となる。
【００４１】
この目的のために、コネクタ４２の前面４２ａおよび後面４２ｂに互いに平行に配置された各電気端子４３が、コネクタ４２の同じ面４２ａまたは４２ｂおよびコネクタ４２のもう１つのこの反対面４２ｂまたは４２ａにおいて、隣り合う電気端子４３とは、異なる高さで弾性支持端子ユニット２によって押圧され支持される。
【００４２】
図３を参照してより詳細な構成について説明する。コネクタ４２の前面４２ａにおける２つの電気端子４３のうちの左側の電気端子（以下第一電気端子４３ａと称する）は、第一弾性支持端子２ａの対応する弾性支持部２１の一つに電気接続される。コネクタ４２の前面４２ａにおける２つの電気端子４３のうちのもう一方の右側の電気端子（以下第二電気端子４３ｂと称する）は、第一電気端子４３ａより低い位置において、第一弾性支持端子２ａのもう一方の弾性支持部２１によって押圧され支持される。
【００４３】
また、コネクタ４２の後面４２ｂにおける２つの電気端子４３のうちの左側の電気端子（以下第三電気端子４３ｃと称する）は、第一電気端子４３ａより低い位置において、対応する第二弾性支持端子２ｂによって支持される。
【００４４】
コネクタ４２の後面４２ｂにおける２つの電気端子４３のうちのもう一方の右側の電気端子（以下第四電気端子４３ｄと称する）は、コネクタ４２の同じ面４２ｂに備えられた第三電気端子４３ｃより高い位置において、押圧され支持される。第四電気端子４３ｄは、コネクタ４２の前面４２ａにおける第二電気端子４３ｂよりも高い位置において押圧され支持される。
【００４５】
すなわち隣り合う電気端子４３は、コネクタ４２の前面４２ａおよび後面４２ｂにおいて異なる高さで支持されることで、弾性支持端子２ａ、２ｂの弾性支持部２１が対向する配置、すなわち、コネクタ４２の前面４２ａと後面４２ｂにおけるシス位となって、押圧し支持する。
【００４６】
それゆえに、各電気端子４３が弾性支持端子ユニット２に電気接続して発光素子４１に電力供給する際に、弾性支持端子ユニット２は、コネクタ４２を押圧し支持する支持領域を増加させることができる。よって、機械デバイスからの伝搬した振動に対して、より大きな耐久性を有することになるので、よりウェッジバルブ４を安定して支持できることになる。
【００４７】
さらに、シス位に配置された複数の弾性支持部２１がウェッジバルブ４の電気端子を押圧する際に、ウェッジバルブ４にかかるモーメントを削減することが可能となり、ウェッジバルブ４がソケット１００内でより安定して支持できることにある。さらに、複数の電気端子４３と弾性支持部２１間の安定的な電気接続を実現できる。これにより、複数の電気端子４３と弾性支持部２１間の不安定な電気接続により生じるアークを減少し、ひいては、これらの電気接続品がアークにより燃えてしまうことを防止する。
【００４８】
図４は、ウェッジバルブと図１に示されたウェッジバルブ用ソケットとの間の連結態様を概略的に示す側面図である。
【００４９】
ウェッジバルブ４は、従来からガラスから形成されるので、ウェッジバルブ４の各端部を正しい角度とすることは困難であり、ウェッジバルブ４の端部は、所定の製造許容差内で丸められている。一方で、ソケット１００は、合成樹脂を用いて形成され、ウェッジバルブ４よりもより大きな製造許容差を有している。ゆえに、ソケット１００内へ挿入されるウェッジバルブ４のコネクタ４２とソケット１００の連結凹部１１との間に間隙が生じてしまう。この間隙によって、機械デバイスからの振動が伝搬すると、ウェッジバルブ４のコネクタ４２が連結凹部１１内で振動してしまうので、ウェッジバルブ４が連結凹部１１内で振動しないようにするために、この間隙は最小限の大きさとされる必要がある。
【００５０】
間隙を最小限にする具体的な方法としては、連結凹部１１が、コネクタ４２の前面４２ａおよび後面４２ｂにおける複数の突起４４と表面接触する下端に段状支持部１１１を備え、ことである。段状支持部１１１は、連結凹部１１の中央へ向かって傾斜している。
【００５１】
具体的には、ガラス成型品であるウェッジバルブ４に形成された複数の突起４４の下端が、コネクタ４２の前面４２ａおよび後面４２ｂと完全に垂直となるよりも傾斜していることである。それゆえに、突起４４が段状支持部１１１と表面接触し支持されるために、連結凹部１１における段状支持部１１１が、突起４４の下端を支持する上で、突起４４の傾斜した下端に対応する傾斜角度を有しなければならない。このような構成とすることで、突起４４の下端と段状支持部１１１との間の間隙を小さくすることが可能となり、ひいては、連結凹部１１によってウェッジバルブ４を密接接触によって安定して支持できる。これによって、振動下においても、ウェッジバルブ４とソケット１００との間の安定した接続が可能となる。
【００５２】
コネクタ４２の突起４４と段状支持部１１１との安定した密接接触は、ウェッジバルブ４における一定の連結深さを確実にする効果がある。これによって、弾性支持端子ユニット２が所定のシス位にて複数の電気端子４３を押圧し支持できるので、それゆえに、ウェッジバルブ４とウェッジバルブ用ソケット１００との間の組立誤差を小さくできる。本発明の振動低減効果は、ウェッジバルブ全種に同様に適用できる。
【００５３】
図５は、図１に示されたウェッジバルブ用ソケットにおける連結凹部内に形成されたエンボス突条を概略的に示す斜視図である。
【００５４】
ソケット１００を通じたウェッジバルブ４の振動は、コネクタ４２の前側面および後側面からの前後振動と、前後振動に垂直な左右振動とに分けられる。コネクタ４２の前側面および後側面からの前後振動は、上述したようにコネクタ４２をシス位で支持するので、弾性支持端子ユニット２によって低減可能である。また、左右振動は、連結凹部１１の内壁面の対向する横の位置から突出する複数のエンボス突条１１２がコネクタ４２の対向する側面を押圧することによって低減可能である。
【００５５】
この場合、複数のエンボス突条１１２は、弓形断面形状を有し、連結凹部１１の対向する横の位置において垂直に延伸する。エンボス突条１１２は、上から連結凹部１１内に挿入されたコネクタ４２の対向する側面を付勢して押圧するように作用して、ソケット１００とウェッジバルブ４の接続を可能とする。このようにして、左右からソケット１００に外部振動を与えられたとしても、ウェッジバルブ４の左右振動を低減することが可能となる。
【００５６】
様々な実施形態が本発明を実施するための最適な形態として記載された。
【００５７】
本発明は、乗り物を含めて電気デバイスおよび機械デバイスに用いられるウェッジバルブ用ソケットに適用でき、ウェッジバルブの振動低減を可能にし、ウェッジバルブの優れた固定性能を維持できる。
【００５８】
本発明の好適な実施形態が例示的な目的において開示されたが、添付の特許請求の範囲に開示された発明の範囲および目的を逸脱しない限り、当業者であれば様々な変更、付加、置換を行うことが可能である。
【符号の説明】
【００５９】
１・・・ソケットハウジング
２・・・弾性支持端子ユニット
２ａ・・・第一弾性支持端子
２ｂ・・・第二弾性支持端子
３・・・押圧片
４・・・ウェッジバルブ
１１・・・連結凹部
２１・・・弾性支持部
４１・・・発光素子
４２・・・コネクタ
４２ａ・・・前面
４２ｂ・・・後面
４３・・・電気端子
４４・・・突起
１００・・・ウェッジバルブ用ソケット
１１１・・・段状支持部
１１２・・・エンボス突条
【図１】
2013504158.tif 000003
【図２】
2013504158.tif 000004
【図３】
2013504158.tif 000005
【図４】
2013504158.tif 000006
【図５】
2013504158.tif 000007
【図６】
2013504158.tif 000008
【国際調査報告】
2013504158.tif 000009
2013504158.tif 000010